(57)【特許請求の範囲】
【請求項１】
ネットワーク試験の対象であるネットワークを介して接続された第１のネットワーク試験装置及び第２のネットワーク試験装置を備えたネットワーク試験システムであって、
前記第１のネットワーク試験装置は、
前記第２のネットワーク試験装置により作業する第２の作業者へ前記ネットワーク試験の作業に必要な連絡をするための連絡メッセージの入力を第１の作業者から受ける連絡メッセージ入力部と、
前記ネットワーク試験を実施するための試験フレームに、前記連絡メッセージを含めて前記第２のネットワーク試験装置へ送信する試験フレーム送信部と、を備え、
前記第２のネットワーク試験装置は、
前記ネットワークを介して前記送信された試験フレームを受信することで前記ネットワーク試験を実施する試験フレーム受信部と、
前記受信した試験フレームに含まれる前記連絡メッセージを前記第２の作業者へ出力する連絡メッセージ出力部と、を備える、
ネットワーク試験システム。
【請求項２】
前記試験フレーム送信部は、前記入力された連絡メッセージに対応するメッセージＩＤを前記試験フレームに含めて送信し、
前記連絡メッセージ出力部は、前記試験フレームに含まれるメッセージＩＤに対応する前記連絡メッセージを出力する、
請求項１に記載のネットワーク試験システム。
【請求項３】
前記試験フレームには、当該試験フレームに前記メッセージＩＤが含まれるか否かを示す識別フラグが含まれている、
請求項２に記載のネットワーク試験システム。
【請求項４】
前記試験フレームには、前記ネットワークの品質を測定するための測定パターンが含まれている、
請求項１乃至３のいずれか一項に記載のネットワーク試験システム。
【請求項５】
前記試験フレーム受信部は、前記測定パターンを含む前記試験フレームを測定し、前記ネットワーク試験を実施する、
請求項４に記載のネットワーク試験システム。
【請求項６】
前記第１のネットワーク試験装置は、前記試験フレーム送信部が送信した試験フレームを前記第２のネットワーク試験装置から折り返して受信し、当該受信した前記測定パターンを含む前記試験フレームを測定し、前記ネットワーク試験を実施する、
請求項４に記載のネットワーク試験システム。
【請求項７】
前記連絡メッセージは、前記第１の作業者と前記第２の作業者との間で作業を確認するためのメッセージである、
請求項１乃至６のいずれか一項に記載のネットワーク試験システム。
【請求項８】
前記連絡メッセージは、前記第１の作業者と前記第２の作業者との間で前記確認に対して応答するためのメッセージである、
請求項７に記載のネットワーク試験システム。
【請求項９】
前記連絡メッセージは、前記第１の作業者と前記第２の作業者との間で作業を依頼するためのメッセージである、
請求項１乃至８のいずれか一項に記載のネットワーク試験システム。
【請求項１０】
前記連絡メッセージは、前記第１の作業者と前記第２の作業者との間で前記依頼に対して応答するためのメッセージである、
請求項９項に記載のネットワーク試験システム。
【請求項１１】
前記試験フレーム送信部は、前記試験フレームに疑似ビットエラーを含めて送信し、
前記連絡メッセージ出力部は、前記疑似ビットエラーを含む試験フレームが受信された旨を出力する、
請求項１乃至１０のいずれか一項に記載のネットワーク試験システム。
【請求項１２】
ネットワーク試験の対象であるネットワークを介して接続された対向試験装置により作業する第２の作業者へ前記ネットワーク試験の作業に必要な連絡をするための連絡メッセージの入力を第１の作業者から受ける連絡メッセージ入力部と、
前記ネットワーク試験を実施するための試験フレームに、前記連絡メッセージを含めて前記対向試験装置へ送信する試験フレーム送信部と、を備えるネットワーク試験装置。
【請求項１３】
ネットワーク試験の対象であるネットワークを介して接続された対向試験装置から、前記ネットワークを介して試験フレームを受信することで前記ネットワーク試験を実施する試験フレーム受信部と、
前記受信した試験フレームに含まれる、前記対向装置により作業する第１の作業者から入力された連絡メッセージを第２の作業者へ出力する連絡メッセージ出力部と、を備える、ネットワーク試験装置。
【請求項１４】
ネットワーク試験の対象であるネットワークを介して接続された第１のネットワーク試験装置及び第２のネットワーク試験装置により実行されるネットワーク試験方法であって、
前記第１のネットワーク試験装置は、
前記第２のネットワーク試験装置により作業する第２の作業者へ前記ネットワーク試験の作業に必要な連絡をするための連絡メッセージの入力を第１の作業者から受け、
前記ネットワーク試験を実施するための試験フレームに、前記連絡メッセージを含めて前記第２のネットワーク試験装置へ送信し、
前記第２のネットワーク試験装置は、
前記ネットワークを介して前記送信された試験フレームを受信することで前記ネットワーク試験を実施し、
前記受信した試験フレームに含まれる前記連絡メッセージを前記第２の作業者へ出力する、
ネットワーク試験方法。
【発明の詳細な説明】
【技術分野】
【０００１】
本発明は、ネットワーク試験システム、ネットワーク試験装置及びネットワーク試験方法に関し、特に、試験フレームによりネットワーク試験を行うネットワーク試験システム、ネットワーク試験装置及びネットワーク試験方法に関する。
【背景技術】
【０００２】
近年、通信技術の発達に伴い、様々な場所に通信設備が設置され、ネットワークが広く利用されている。このため、ネットワークの構築、運用、保守等の作業の重要性が増してきている。このようなネットワークの保守作業等では、ネットワークの通信品質を確認するために、対象となるネットワークにネットワーク試験装置を接続してネットワーク試験が行われている。
【０００３】
例えば、関連するネットワーク試験システムとして特許文献１の装置が知られている。特許文献１では、ネットワークを介して接続された試験側ネットワーク端末と被試験側ネットワーク端末との間で、通常パケットとは異なる特殊パケットを送受信することでネットワーク試験を行っている。
【先行技術文献】
【特許文献】
【０００４】
【特許文献１】特開２００２−３５９６６３号公報
【発明の概要】
【発明が解決しようとする課題】
【０００５】
特許文献１のような関連するネットワーク試験システムでは、特殊パケット（試験パケット）によりネットワーク試験を行うことができる。
【０００６】
一方、ネットワーク試験は、ネットワークに接続されたネットワーク試験装置を作業者が実際に操作しながら実施される。このため、ネットワーク試験装置を用いた対向試験やループバック試験等のネットワーク試験が遠隔の２拠点間で行われる場合には、試験開始から終了までを円滑に行うための合図や設定確認・結果確認等を、遠隔の作業者間で行う必要がある。
【０００７】
例えば、従来は、ネットワーク試験を実施する携帯電話局舎等への携帯電話の持ち込みが可能だったため、遠隔で対向している作業者と携帯電話により連絡を取りながら、あるいはオーダーワイヤー等の連絡によりネットワーク試験が可能であった。
【０００８】
しかし、近年、携帯電話が高機能になるにつれて情報漏洩のリスクが高まり、情報セキュリティの観点からネットワーク試験実施場所への携帯電話の持ち込み等が制限されることがほとんどとなった。この場合、対向の作業者への連絡手段は試験対象ネットワーク機器から離れた場所にあるオーダーワイヤーを使用するか、一旦、ネットワーク試験実施場所を離れ、使用可能な電話を探して借用し連絡を取らなければならず、遠隔の対向作業者との意思の疎通が困難であり、作業効率低下の原因となっていた。
【０００９】
すなわち、上記の特許文献１のような関連するネットワーク試験システムでは、特殊パケットを用いてネットワーク試験を行うものの、ネットワーク試験装置により試験を行う作業者間で試験作業に必要な連絡をとることができず、作業者間の意思疎通が困難であるという問題があった。
【００１０】
本発明の目的は、上述した課題を解決するネットワーク試験システム、ネットワーク試験装置及びネットワーク試験方法を提供することにある。
【課題を解決するための手段】
【００１１】
本発明に係るネットワーク試験システムは、ネットワーク試験の対象であるネットワークを介して接続された第１のネットワーク試験装置及び第２のネットワーク試験装置を備えたネットワーク試験システムであって、前記第１のネットワーク試験装置は、前記第２のネットワーク試験装置により作業する第２の作業者へ前記ネットワーク試験の作業に必要な連絡をするための連絡メッセージの入力を第１の作業者から受ける連絡メッセージ入力部と、前記ネットワーク試験を実施するための試験フレームに、前記連絡メッセージを含めて前記第２のネットワーク試験装置へ送信する試験フレーム送信部と、を備え、前記第２のネットワーク試験装置は、前記ネットワークを介して前記送信された試験フレームを受信することで前記ネットワーク試験を実施する試験フレーム受信部と、前記受信した試験フレームに含まれる前記連絡メッセージを前記第２の作業者へ出力する連絡メッセージ出力部と、を備えるものである。
【００１２】
本発明に係るネットワーク試験装置は、ネットワーク試験の対象であるネットワークを介して接続された対向試験装置により作業する第２の作業者へ前記ネットワーク試験の作業に必要な連絡をするための連絡メッセージの入力を第１の作業者から受ける連絡メッセージ入力部と、前記ネットワーク試験を実施するための試験フレームに、前記連絡メッセージを含めて前記対向試験装置へ送信する試験フレーム送信部と、を備えるものである。
【００１３】
本発明に係るネットワーク試験装置は、ネットワーク試験の対象であるネットワークを介して接続された対向試験装置から、前記ネットワークを介して試験フレームを受信することで前記ネットワーク試験を実施する試験フレーム受信部と、前記受信した試験フレームに含まれる、前記対向装置により作業する第１の作業者から入力された連絡メッセージを第２の作業者へ出力する連絡メッセージ出力部と、を備えるものである。
【００１４】
本発明に係るネットワーク試験方法は、ネットワーク試験の対象であるネットワークを介して接続された第１のネットワーク試験装置及び第２のネットワーク試験装置により実行されるネットワーク試験方法であって、前記第１のネットワーク試験装置は、前記第２のネットワーク試験装置により作業する第２の作業者へ前記ネットワーク試験の作業に必要な連絡をするための連絡メッセージの入力を第１の作業者から受け、前記ネットワーク試験を実施するための試験フレームに、前記連絡メッセージを含めて前記第２のネットワーク試験装置へ送信し、前記第２のネットワーク試験装置は、前記ネットワークを介して前記送信された試験フレームを受信することで前記ネットワーク試験を実施し、前記受信した試験フレームに含まれる前記連絡メッセージを前記第２の作業者へ出力するものである。
【発明の効果】
【００１５】
本発明によれば、ネットワーク試験を行いつつ、作業者間で試験作業に必要な連絡を簡易にとることができ、作業者間の意思疎通を図ることが可能なネットワーク試験システム、ネットワーク試験装置及びネットワーク試験方法を提供することができる。
【図面の簡単な説明】
【００１６】
【図１】本発明の実施の形態１に係るネットワーク試験システムの特徴を示す概略構成図である。
【図２】本発明の実施の形態１に係るネットワーク試験システムのネットワーク構成を示す構成図である。
【図３】本発明の実施の形態１に係るネットワーク試験装置の構成を示すブロック図である。
【図４】本発明の実施の形態１に係るネットワーク試験で用いる測定フレームのフォーマットを示す図である。
【図５】本発明の実施の形態１に係るネットワーク試験方法のフローを示すシーケンス図である。
【図６】本発明の実施の形態１に係るネットワーク試験方法のフローを示すシーケンス図である。
【図７】本発明の実施の形態１に係るネットワーク試験装置の画面表示を示すイメージ図である。
【図８】本発明の実施の形態１に係るネットワーク試験装置の画面表示を示すイメージ図である。
【図９】本発明の実施の形態１に係るネットワーク試験装置の画面表示を示すイメージ図である。
【図１０】本発明の実施の形態１に係るネットワーク試験装置の画面表示を示すイメージ図である。
【図１１】本発明の実施の形態１に係るネットワーク試験装置の画面表示を示すイメージ図である。
【図１２】本発明の実施の形態１に係るネットワーク試験装置の画面表示を示すイメージ図である。
【発明を実施するための形態】
【００１７】
（本発明の特徴）
本発明の実施の形態の説明に先立って、本発明の特徴についてその概要をまず説明する。
【００１８】
図１に示すように、本発明のネットワーク試験システム１は、試験対象であるネットワーク３０を介して接続された第１のネットワーク試験装置１０及び第２のネットワーク試験装置２０を備えている。そして、第１のネットワーク試験装置１０は、第２のネットワーク試験装置２０により作業する第２の作業者２３へネットワーク試験の作業に必要な連絡をするための連絡メッセージ４１の入力を第１の作業者１３から受ける連絡メッセージ入力部１２と、ネットワーク試験を実施するための試験フレーム４０に、連絡メッセージ４１を含めて第２のネットワーク試験装置２０へ送信する試験フレーム送信部１１と、を備えることを主要な特徴としている。
【００１９】
また、第２のネットワーク試験装置２０は、ネットワーク３０を介して送信された試験フレーム４０を受信することでネットワーク試験を実施する試験フレーム受信部２１と、受信した試験フレーム４０に含まれる連絡メッセージ４１を第２の作業者２３へ出力する連絡メッセージ出力部２２と、を備えることを主要な特徴としている。
【００２０】
本発明によれば、ネットワーク試験装置が、作業者間の意思疎通のための連絡メッセージを試験フレームに含めて送受信することから、携帯電話等の通信手段の使用が禁止された遠隔の２拠点間においてネットワーク試験を行う場合であっても、遠隔の対向作業者とネットワーク試験前・試験中に限らずネットワーク試験やその試験結果に影響を与えることなく定型メッセージによる意思の疎通が可能となる。
【００２１】
（本発明の実施の形態１）
以下、図面を参照して本発明の実施の形態１について説明する。
【００２２】
図２は、本発明の実施の形態１に係るネットワーク試験システムの構成を示している。図２に示されるように、このネットワーク試験システム２００では、ＨＵＢ局１００ａと携帯電話基地局１００ｂがそれぞれネットワーク機器１２０ａ，１２０ｂを介し伝送路１３０で接続されている。ネットワーク試験機（ネットワーク試験装置）１１０ａはＨＵＢ局１００ａの、ネットワーク試験機１１０ｂは携帯電話基地局１００ｂの、それぞれネットワーク機器１２０ａ，１２０ｂに接続されている。図２は、伝送路１３０の疎通確認と回線品質測定を行う場合の構成例である。
【００２３】
ＨＵＢ局１００ａと携帯電話基地局１００ｂは、通信設備が接地される通信局１００（１００ａもしくは１００ｂのいずれかを１００とも称する）の一例である。例えば、ＨＵＢ局１００ａは、携帯電話基地局１００ｂと、バックボーン等の他のネットワーク（不図示）とを接続して通信を中継する中継局である。携帯電話基地局１００ｂは、アンテナを介して携帯電話（不図示）と無線通信するとともに、ＨＵＢ局１００ａと有線接続することで、携帯電話とＨＵＢ局１００ａとを接続して通信を中継する基地局（中継局）である。
【００２４】
伝送路１３０は、ネットワーク試験システムが試験対象とするネットワークの一例である。伝送路１３０は、例えば、光ケーブルで構成されているが、その他の有線伝送路でもよいし、無線伝送路であってもよい。また、伝送路１３０は、１本の伝送路（回線）として図示されているが、１本に限らず、複数の伝送路や複数の中継装置を介した種々のネットワークであってもよい。
【００２５】
ネットワーク機器１２０（１２０ａもしくは１２０ｂのいずれかを１２０とも称する）は、伝送路１３０に接続されるとともに、ＨＵＢ局１００ａまたは携帯電話基地局１００ｂにおいて、伝送路１３０を介した通信を可能にする装置である。例えば、伝送路１３０が光ケーブルであるとして、ネットワーク機器１２０は、光ケーブルの光信号と、銅線ケーブルの電気信号とを変換する、メディアコンバータである。
【００２６】
ネットワーク試験機１１０（１１０ａもしくは１１０ｂのいずれかを１１０とも称する）は、伝送路１３０の品質（帯域、遅延、損失、ゆらぎ）の測定や疎通確認等のネットワーク試験を行う試験機である。ネットワーク試験機１１０は、ネットワーク機器１２０及び伝送路１３０と着脱可能であり、試験を開始する際に、ネットワーク機器１２０を介して伝送路１３０に物理的に接続し、試験終了後に、ネットワーク機器１２０及び伝送路１３０から物理的に切り離す。ネットワーク試験では、ネットワーク試験機１１０を測定対象の回線（伝送路１３０）の両端に接続し、相互に測定用のイーサネット（登録商標）フレーム（測定フレーム）を送受信しあうことで品質を測定し、測定結果をリアルタイムで画面表示する。また、後述のように、ネットワーク試験機１１０は、作業者の意思疎通を可能にするために連絡メッセージの送受信も行う。
【００２７】
図３は、本発明の実施の形態１に係るネットワーク試験機１１０の構成を示している。図３に示されるように、ネットワーク試験機１１０は、ネットワークインタフェース１１１、測定フレーム送受信部１１２、試験制御部１１３、連絡制御部１１４、ユーザインタフェース１１５を備えている。図１との対応関係を説明すると、例えば、図３の測定フレーム送受信部１１２及び試験制御部１１３が、図１の試験フレーム送信部１１及び試験フレーム受信部２１に対応し、図３の連絡制御部１１４及びユーザインタフェース１１５が、図１の連絡メッセージ入力部１２及び連絡メッセージ出力部２２に対応している。
【００２８】
ユーザインタフェース１１５は、ネットワーク試験機１１０を操作する作業者（ユーザ）との間で入力／出力を行うインタフェースである。ユーザインタフェース１１５は、例えば、ユーザへ画面表示により出力する表示装置やユーザから入力を受ける操作ボタン等で構成される。ユーザインタフェース１１５は、画面表示されたＧＵＩをユーザが選択操作することで、操作に応じた試験の開始や連絡メッセージの送信等を、試験制御部１１３、連絡制御部１１４に指示する。
【００２９】
試験制御部１１３は、ユーザインタフェース１１５を介したユーザの操作に従って、伝送路１３０を試験するための試験データ（測定パターン）を生成し、試験データの送信・受信、試験の開始・終了を制御する。生成した試験データは、測定フレーム送受信部１１２により測定フレーム（試験フレーム）に含まれて送信される。また、受信した試験データを含む測定フレームを測定し、測定結果をユーザインタフェース１１５を介してユーザへ出力する。
【００３０】
連絡制御部１１４は、ユーザインタフェース１１５を介したユーザの操作に従って、試験作業のために必要な情報である連絡メッセージを生成し、連絡メッセージの送信・受信を制御する。連絡制御部１１４は、後述のように連絡メッセージとメッセージＩＤとの関連づけを行う。生成した連絡メッセージは、測定フレーム送受信部１１２により測定フレームに含まれて送信される。また、受信した連絡メッセージの内容は、ユーザインタフェース１１５を介してユーザへ出力する。
【００３１】
測定フレーム送受信部１１２は、ネットワーク試験のための測定フレームを伝送路１３０を介して対向するネットワーク試験機１１０へ送信し、また、伝送路１３０を介して測定フレームを受信する。測定フレーム送受信部１１２は、試験制御部１１３が生成した試験データを測定フレームに含めるとともに、連絡制御部１１４が生成した連絡メッセージ（メッセージＩＤ）を測定フレームに含めて、一つの測定フレームとして送信する。また、測定フレーム送受信部１１２は、受信した測定フレームを解析して、測定フレームに含まれている試験データを試験制御部１１３へ通知し、測定フレームに含まれている連絡メッセージを連絡制御部１１４へ通知する。
【００３２】
ネットワークインタフェース１１１は、ネットワーク機器１２０を介して伝送路１３０に接続するためのインタフェースである。例えば、ネットワークインタフェース１１１は、イーサネットインタフェースであり、対抗接続されるネットワーク試験機１１０との間でイーサネットフレームの送受信を可能にする。
【００３３】
図４は、ネットワーク試験機１１０が伝送路１３０を介して送受信する測定フレーム（試験フレーム）３００のフォーマットを示している。この測定フレーム３００は、ネットワークのベアラ品質を測定するためのフレームである。
【００３４】
測定フレーム３００は、イーサネットフレームのフォーマットで構成され、フレームヘッダ領域３０１、データ領域３０２、ＦＣＳ（Frame Check Sequence）領域３０３を有している。フレームヘッダ領域３０１には、宛先アドレスを格納するＤＡ、送信元アドレスを格納するＳＡ、ＶＬＡＮＩＤを格納するＶＬＡＮ１、ＶＡＬＮ２、データの種類を格納するＴＹＰＥの領域が含まれている。
【００３５】
データ領域３０２には、オリジナルヘッダ領域３１０とペイロード領域３２０が含まれている。
【００３６】
ペイロード領域３２０には、ネットワーク試験を行うための試験データ（測定パターン）が格納される。試験データには、任意のビットパターンが使用できる。例えば、全てのビット値を０とするＡＬＬ０パターン、全てのビット値を１とするＡＬＬ１パターン、ＰＮ１５などの疑似ランダムパターンである。
【００３７】
オリジナルヘッダ領域３１０は、ＩＤ領域３１１、ＳＴ領域３１２、Ｍ領域（メッセージＩＤ通知フィールド）３１１、ＳＮ領域３１４、Ｄｅｌａｙ領域３１５が含まれている。ＩＤ領域３１１には、このフレームが測定フレーム（試験データを含む試験フレーム）であることを示すＩＤが設定される。
【００３８】
ＳＴ領域３１２には、このフレームが試験フレーム、非試験フレームを含むか否かを示すＲＥ情報、遅延測定を行うか否かを示すＤＥ情報が設定される。例えば、ＲＥ情報が試験フレームを含めば、ペイロードの試験データが有効であり、ＲＥ情報が非試験フレームを含めば、次のＭ領域３１１の連絡メッセージが有効である。
【００３９】
Ｍ領域（メッセージＩＤ通知フィールド）３１１は、連絡メッセージのメッセージＩＤを通知するための領域である。メッセージＩＤは、試験作業に必要となる連絡メッセージ毎に割り当てられている。例えば、メッセージ「Ｈｅｌｌｏ！」には「０１」が割り当てられており、Ｍ領域３１１に「０１」が設定されたフレームは、「Ｈｅｌｌｏ！」メッセージのフレームであることを示している。例えばネットワーク試験機１１０は、メッセージＩＤとメッセージ文字列とを対応付けたメッセージテーブルを記憶しており、このメッセージテーブルを参照することで、メッセージに対応するＩＤを送信し、受信したＩＤに対応するメッセージを出力する。測定フレーム３００には、メッセージの文字列の代わりにメッセージＩＤを格納することで、オリジナルヘッダの長さが無駄に長くなることを防ぐことができる。なお、任意のメッセージを送受信するために、測定フレーム３００にメッセージ文字列を格納したり、文字列を圧縮などで変換したデータを格納してもよいし、複数のフレームに分割して送信してもよい。
【００４０】
ＳＮ領域３１４には、フレームのシーケンス番号が格納される。Ｄｅｌａｙ領域３１５には、遅延測定用のデータが格納される。
【００４１】
次に、図５〜図１２を用いて、本発明の実施の形態１に係るネットワーク試験システムにより実施されるネットワーク試験方法について説明する。図５、図６は、ネットワーク試験の流れを示しており、図７〜図１２は、図５、図６の各ステップでネットワーク試験機に表示される画面表示のイメージを示している。
【００４２】
まず、ステップＳ４００において、作業者は、それぞれＨＵＢ局１００ａ、携帯電話基地局１００ｂに入局し、手順書に従いネットワーク試験機１１０ａ、１１０ｂを、試験対象の伝送路１３０に接続されているネットワーク機器１２０ａ、１２０ｂに物理的に接続する。
【００４３】
図７は、この接続が完了した時点で、ネットワーク試験機１１０に表示される試験画面５００の画面イメージである。試験画面５００は、測定データ５０２や品質判定５０３を含む測定表示領域５０１、ＭＳＧ通知アイコン５１１やメッセージ表示フィールド５１２を含む連絡メッセージ領域５１０、送信開始アイコン５２１やループＯＮアイコン５２２を含む測定操作領域５２０を有している。ステップＳ４００の時点では、図７の測定表示領域５０１の測定データ５０２のように、測定項目が全て０の状態となっている。
【００４４】
次いで、ステップＳ４０１において、対向試験機であるネットワーク試験機１１０ｂがネットワーク（伝送路１３０）への接続を完了したか確認するため、ネットワーク試験機１１０ａは、メッセージ「Ｈｅｌｌｏ！」を送信する。
【００４５】
図７の試験画面５００で、作業者がＭＳＧ通知アイコン５１１を選択すると、図８の試験画面５００に遷移する。試験画面５００は、図７では測定表示領域５０１であった領域が、連絡メッセージ選択領域５３０に切り替わる。連絡メッセージ選択領域５３０に表示された定型文の中から送信したいメッセージを選択することで、所望のメッセージを送信できる。
【００４６】
連絡メッセージ選択領域５３０には、確認メッセージ用タブ５３１、依頼メッセージ用タブ５３２、応答メッセージ用タブ５３３が表示されている。そして、確認メッセージ用タブ５３１を作業者が選択すると、対向試験機に確認するための確認メッセージ一覧５３４が表示され、送信するメッセージの文字列５３４ａ〜５３４ｆが選択可能となる。ここでは、表示されている「Ｈｅｌｌｏ！」の文字列５３４ａを選択し、メッセージ「Ｈｅｌｌｏ！」を送信する。
【００４７】
ネットワーク試験機１１０ａがメッセージ「Ｈｅｌｌｏ！」を送信すると、送信したことが試験画面５００のメッセージ表示フィールド５１２に表示される。図９に示すように、ネットワーク試験機１１０ａが自ら送ったメッセージの内容は「自＞＞」の後に続けて、メッセージ表示フィールド５１２に表示される。「自＞＞」の表示に限らず、その他の文字列や記号等で自らの送信であることが理解できればよい。なお、メッセージ表示フィールド５１２にメッセージを表示する際に時刻やその他の情報を表示してもよい。
【００４８】
メッセージの送信は、ネットワーク試験機１１０ａ（１００ｂも同様）が、図４で示したように送信する測定フレーム３００の全てにあらかじめオリジナルヘッダ領域３１０を設け、オリジナルヘッダ領域３１０の中のメッセージＩＤ通知フィールド（Ｍ領域３１３）の部分を、選択したメッセージに対応した数値に置き換え送信することで実現している。
【００４９】
次いで、ステップＳ４０２において、ネットワーク試験機１１０ｂは、対向試験機であるネットワーク試験機１１０ａからメッセージ「Ｈｅｌｌｏ！」を受信し、ネットワーク試験機１１０ｂからも返事としてメッセージ「Ｈｅｌｌｏ！」を送信する。
【００５０】
メッセージ「Ｈｅｌｌｏ！」を受信したネットワーク試験機１１０ｂでは、受信したしたことが試験画面５００のメッセージ表示フィールド５１２に表示される。図１０に示すように、ネットワーク試験機１１０ｂは、対抗するネットワーク試験機１１０ａから受信したメッセージの内容は「対＞＞」に続けて、メッセージ表示フィールド５１２に表示される。「対＞＞」の表示に限らず、アドレスやその他の文字列や記号等で対抗試験機の送信であることが理解できればよい。自試験機と対抗試験機とで文字列の色を変えて表示してもよい。また、メッセージの内容の他に、オリジナルヘッダの他の情報や測定フレームの他の情報を表示してもよい。
【００５１】
メッセージの受信は、ネットワーク試験機１１０ｂ（１００ａも同様）が、受信した測定フレーム３００のオリジナルヘッダ領域３１０内のメッセージＩＤ通知フィールド（Ｍ領域３１３）を参照し、その通知されたＩＤに対応したメッセージを、試験画面５００のメッセージ表示フィールド５１２に表示することで実現している。
【００５２】
また、ネットワーク試験機１１０ｂは、ネットワーク試験機１１０ａと同様に、図８の試験画面５００で、作業者が確認メッセージ用タブ５３１と「Ｈｅｌｌｏ！」の文字列５３４ａを選択すると、メッセージ「Ｈｅｌｌｏ！」を送信する。
【００５３】
次いで、ステップＳ４０３において、ネットワーク試験機１１０ａは、対向試験機であるネットワーク試験機１１０ｂからメッセージ「Ｈｅｌｌｏ！」による応答を受信したため、ネットワーク試験機１１０ｂの接続を認識する。そして、ネットワーク試験機１１０ａは、ネットワーク試験を開始してよいか確認するため、ネットワーク試験機１１０ｂへメッセージ「測定を開始してもいいですか？」を送信する。
【００５４】
ネットワーク試験機１１０ａは、図８の試験画面５００で、作業者が確認メッセージ用タブ５３１と「測定を開始してもいいですか？」の文字列５３４ｂを選択すると、メッセージ「測定を開始してもいいですか？」を送信する。
【００５５】
次いで、ステップＳ４０４において、ネットワーク試験機１１０ｂは、対向試験機であるネットワーク試験機１１０ａからメッセージ「測定を開始してもいいですか？」を受信し、試験の準備が整ったら、メッセージ「送信を開始して下さい。」を送信する。
【００５６】
図１１に示すように、試験画面５００で依頼メッセージ用タブ５３２を作業者が選択すると、対向試験機に依頼するための依頼メッセージ一覧５３５が表示され、送信するメッセージの文字列５３５ａ〜５３５ｆが選択可能となる。ネットワーク試験機１１０ｂは、作業者が依頼メッセージ用タブ５３２と「送信を開始して下さい。」の文字列５３５ａを選択すると、メッセージ「送信を開始して下さい。」を送信する。
【００５７】
次いで、ステップＳ４０５において、ネットワーク試験を開始する。このネットワーク試験では、ステップＳ４０５〜Ｓ４１０で対抗試験を行い、ステップＳ４１４〜Ｓ４１９でループバック試験を行う。対向試験では、ネットワーク試験機１１０ａからネットワーク試験機１１０ｂへ一方向に測定フレームを送信し、受信したネットワーク試験機１１０ｂで品質測定を行う。
【００５８】
ネットワーク試験機１１０ａは、ネットワーク試験機１１０ｂからメッセージ「送信を開始して下さい。」を受信したため、図７の試験画面５００の送信開始アイコン５２１を選択し試験データ（測定パターン）を含む測定フレームの送信を開始する。ネットワーク試験機１１０ｂでは、受信する測定フレームを測定し、測定結果を試験画面５００に表示する。測定データ５０２に測定フレームの受信数やビットエラー等を表示する。また、ビットエラー数などに応じて品質を判定し、品質判定５０３に品質が良いことを示す「○」や品質が悪いことを示す「×」を表示する。
【００５９】
次いで、ステップＳ４０６において、ネットワーク試験機１１０ａは、試験終了後、対抗試験機であるネットワーク試験機１１０ｂの測定結果を確認するため、メッセージ「測定結果は良好ですか？」を送信する。
【００６０】
ネットワーク試験機１１０ａは、図８の試験画面５００で、作業者が確認メッセージ用タブ５３１と「測定は良好ですか？」の文字列５３４ｅを選択すると、メッセージ「測定は良好ですか？」を送信する。ステップＳ４０６〜Ｓ４０９では、試験実施中であるため、試験データ（測定パターン）と連絡メッセージのメッセージＩＤを含む測定フレーム３００が送信される。
【００６１】
次いで、ステップＳ４０７において、ネットワーク試験機１１０ｂは、対向試験機であるネットワーク試験機１１０ａからメッセージ「測定結果は良好ですか？」を受信し、測定結果が良好かどうか判断し、良好な場合、メッセージ「はい」を送信する。
【００６２】
ここでは、ネットワーク試験機１１０ｂでは、試験画面５００の品質判定５０３に「○」が表示されており、品質が良好であるとする。図１２に示すように、試験画面５００の応答メッセージ用タブ５３３を作業者が選択すると、対向試験機に応答するための応答メッセージ一覧５３６が表示され、送信するメッセージの文字列５３６ａ〜５３６ｄが選択可能となる。ネットワーク試験機１１０ｂは、作業者が応答メッセージ用タブ５３３と「はい」の文字列５３６ａを選択すると、メッセージ「はい」を送信する。
【００６３】
次いで、ステップＳ４０８において、ネットワーク試験機１１０ａは、測定中の対向試験を終了する場合、ネットワーク試験機１１０ｂに試験の終了を確認するため、メッセージ「測定を終了してもいいですか？」を送信する。
【００６４】
ネットワーク試験機１１０ａは、図８の試験画面５００で、作業者が確認メッセージ用タブ５３１と「測定を終了してもいいですか？」の文字列５３４ｂを選択すると、メッセージ「測定を終了してもいいですか？」を送信する。
【００６５】
次いで、ステップＳ４０９において、ネットワーク試験機１１０ｂは、対向試験機であるネットワーク試験機１１０ａからメッセージ「測定を終了してもいいですか？」を受信し、このメッセージに応答するため、メッセージ「はい」を送信する。
【００６６】
ネットワーク試験機１１０ｂは、図１２の試験画面５００で、作業者が応答メッセージ用タブ５３３と「はい」の文字列５３６ａを選択すると、メッセージ「はい」を送信する。
【００６７】
次いで、ステップＳ４１０において、ネットワーク試験を終了する。ネットワーク試験機１１０ａは、ネットワーク試験機１１０ｂからメッセージ「はい」を受信したため、作業者が図７の試験画面５００の送信開始アイコン５２１を再度選択すると、測定フレームの送信を停止する。これにより、対抗試験が終了する。
【００６８】
続けてループバック試験を開始する場合、ステップＳ４１１〜Ｓ４１３のように、ループバック試験の準備を行う。ステップＳ４１１において、ネットワーク試験機１１０ａは、対抗試験機であるネットワーク試験機１１０ｂをループバック設定にする必要があるため、メッセージ「ループバックを設定して下さい。」を送信する。
【００６９】
ネットワーク試験機１１０ａは、図１１の試験画面５００で、作業者が依頼メッセージ用タブ５３２と「ループバックを設定して下さい。」の文字列５３５ｄを選択すると、メッセージ「ループバックを設定して下さい。」を送信する。
【００７０】
次いで、ステップＳ４１２において、ネットワーク試験機１１０ｂは、対抗試験機であるネットワーク試験機１１０ａからメッセージ「ループバックを設定して下さい。」を受信し、このメッセージに応答するため、メッセージ「了解しました。」を送信する。
【００７１】
ネットワーク試験機１１０ｂは、図１２の試験画面５００で、作業者が応答メッセージ用タブ５３３と「了解しました。」の文字列５３６ｃを選択すると、メッセージ「了解しました。」を送信する。
【００７２】
次いで、ステップＳ４１３において、ネットワーク試験機１１０ｂは、自試験機であるネットワーク試験機１１０ｂにループバックの設定をした後、対向試験機であるネットワーク試験機１１０ａにメッセージ「送信を開始して下さい。」を送信する。
【００７３】
ネットワーク試験機１１０ｂは、図１１の試験画面５００で、作業者がループＯＮアイコン５２２を選択することでループバックを設定し、作業者が依頼メッセージ用タブ５３２と「送信を開始して下さい。」の文字列５３５ａを選択すると、メッセージ「送信を開始して下さい。」を送信する。
【００７４】
次いで、ステップＳ４１４において、ネットワーク試験（ループバック）を開始する。ループバック試験では、ネットワーク試験機１１０ａからネットワーク試験機１１０ｂへ測定フレームを送信し、ネットワーク試験機１１０ｂで測定フレームを折り返してネットワーク試験機１１０ａに送信し、折り返し受信したネットワーク試験機１１０ａが品質測定を行う。
【００７５】
ネットワーク試験機１１０ａは、ネットワーク試験機１１０ｂからメッセージ「送信を開始して下さい。」を受信したため、図７の試験画面５００の送信開始アイコン５２１を選択し試験データ（測定パターン）を含む測定フレームの送信を開始する。ネットワーク試験機１１０ｂでは、ループバックを設定しているため、測定フレームを折り返して送信し、折り返された測定フレームをネットワーク試験機１１０ａが測定し、測定結果を試験画面５００に表示する。対向試験と同様に、測定データ５０２に測定フレームの送信数、受信数やビットエラー等を表示する。また、品質を判定して品質判定５０３に「○」や「×」を表示する。
【００７６】
次いで、ステップＳ４１５において、ネットワーク試験機１１０ｂは、対抗試験機であるネットワーク試験機１１０ａの測定結果を確認するため、メッセージ「測定結果は良好ですか？」を送信する。ここでは、ネットワーク試験機１１０ｂは、ステップＳ４０６と同様に試験画面５００を選択しメッセージ「測定は良好ですか？」を送信する。ステップＳ４１５〜Ｓ４１８では、試験実施中であるため、試験データ（測定パターン）と連絡メッセージのメッセージＩＤを含む測定フレーム３００が送信される。
【００７７】
次いで、ステップＳ４１６において、ネットワーク試験機１１０ａは、対抗試験機であるネットワーク試験機１１０ｂからメッセージ「測定結果は良好ですか？」を受信し、測定結果が良好かどうか判断し、良好な場合、メッセージ「はい」を送信する。ここでは、ネットワーク試験機１１０ａは、ステップＳ４０７と同様に試験画面５００を選択して、メッセージ「はい」を送信する。
【００７８】
次いで、ステップＳ４１７において、ネットワーク試験機１１０ａは、判断した測定結果に問題がなければ、試験を終了するため、ネットワーク試験機１１０ｂへメッセージ「測定を終了してもいいですか？」を送信する。ここでは、ネットワーク試験機１１０ａは、ステップＳ４０８と同様に試験画面５００を選択しメッセージ「測定を終了してもいいですか？」を送信する。
【００７９】
次いで、ステップＳ４１８において、ネットワーク試験機１１０ｂは、対抗試験機であるネットワーク試験機１１０ａからメッセージ「測定を終了してもいいですか？」を受信し、このメッセージに応答するため、メッセージ「はい」を送信する。ここでは、ネットワーク試験機１１０ｂは、ステップＳ４０９と同様に試験画面５００を選択しメッセージ「はい」を受信する。
【００８０】
次いで、ステップＳ４１９において、試験を終了する。ネットワーク試験機１１０ａは、ネットワーク試験機１１０ｂからメッセージ「はい」を受信したため、図７の試験画面５００の送信開始アイコン５２１を再度選択して、測定フレームの送信を停止する。これにより、ループバック試験が終了し、全てのネットワーク試験が終了する。
【００８１】
図５では、ステップＳ４０５〜Ｓ４１０、Ｓ４１４〜Ｓ４１９のように対向でネットワーク試験を実施している最中でも、試験フレームのオリジナルヘッダ領域内のメッセージＩＤを変更することで試験を中断したり試験結果に影響を与えることなく連絡メッセージの送受信が可能である。
【００８２】
以上のように、本実施形態では、連絡メッセージにより意思疎通可能な意思疎通機能をネットワーク試験機に搭載するようにした。そして、このネットワーク試験機では、ネットワーク試験機から送信されるフレーム全てにあらかじめオリジナルヘッダ領域を設け、その領域に定型メッセージのメッセージＩＤを埋め込み、受信側のネットワーク試験機でメッセージＩＤを読みとることで、連絡メッセージの送受信を行うようにした。これにより作業者の意思の疎通が可能となる。あらかじめ送信される全てのフレームにオリジナルヘッダ領域を設けていることで、フルワイヤレートでのネットワーク試験中も連絡メッセージの送受信が可能であり、またその試験結果に影響を与えることはない。
【００８３】
すなわち、試験の開始前〜終了後まで遠隔の対向作業者との合図・確認作業や意思の疎通を試験対象機器の前から離れることなく実施することができる。このため、作業効率の向上・作業時間の短縮、情報セキュリティに多大な効果がある。
【００８４】
また、定型メッセージを採用していることにより必要以上の情報を流すことがなく、高い情報セキュリティレベルが得られる。
【００８５】
（本発明の他の実施の形態）
ネットワーク試験では、対象ネットワークや経路中のネットワーク機器がビットエラーを正しく処理できるか試験するために意図的にビットエラーを挿入する試験をすることがある。
【００８６】
図２、図３で示したネットワーク試験機１１０でも、測定フレーム３００に意図的に疑似ビットエラーを挿入することができる。そして、ネットワーク試験機１１０は、この擬似ビットエラーを含む測定フレーム３００を受信したときのみ、図７のメッセージ表示フィールド５１２に擬似ビットエラーを受信した旨を表示する。
【００８７】
これにより、試験対象ネットワークや経路中のネットワーク機器によって引き起こされたビットエラーなのか、意図的に挿入した擬似ビットエラーなのかをその場で判断する事が出来るという利点があり、作業効率の向上・試験結果の信頼性の向上に効果がある。
【００８８】
なお、本発明は上記実施の形態に限られたものではなく、趣旨を逸脱しない範囲で適宜変更することが可能である。例えば、上記の例では、対抗する２台のネットワーク試験機で試験を行ったが、３台以上のネットワーク試験機により試験を行ってもよい。この場合には、メッセージを送信する際に、送信先の試験機を指定してメッセージを送信する。
【符号の説明】
【００８９】
１  ネットワーク試験システム
１０  第１のネットワーク試験装置
１１  試験フレーム送信部
１２  連絡メッセージ入力部
１３  第１の作業者
２０  第２のネットワーク試験装置
２１  試験フレーム受信部
２２  連絡メッセージ出力部
２３  第２の作業者
３０  ネットワーク
４０  試験フレーム
４１  連絡メッセージ
１００  通信局
１００ａ  ＨＵＢ局
１００ｂ  携帯電話基地局
１１０、１１０ａ、１１０ｂ  ネットワーク試験機
１１１  ネットワークインタフェース
１１２  測定フレーム送受信部
１１３  試験制御部
１１４  連絡制御部
１１５  ユーザインタフェース
１２０、１２０ａ、１２０ｂ  ネットワーク機器
１３０  伝送路
２００  ネットワーク試験システム
３００  測定フレーム
３１０  オリジナルヘッダ領域
３２０  ペイロード領域
５００  試験画面
５０１  測定表示領域
５０２  測定データ
５０３  品質判定
５１０  連絡メッセージ領域
５１１  ＭＳＧ通知アイコン
５１２  メッセージ表示フィールド
５２０  測定操作領域
５２１  送信開始アイコン
５２２  ループＯＮアイコン
５３０  連絡メッセージ選択領域
５３１  確認メッセージ用タブ
５３２  依頼メッセージ用タブ
５３３  応答メッセージ用タブ
５３４  確認メッセージ一覧
５３５  依頼メッセージ一覧
５３６  応答メッセージ一覧
【図１】
0005881146.tif 000002
【図２】
0005881146.tif 000003
【図３】
0005881146.tif 000004
【図４】
0005881146.tif 000005
【図５】
0005881146.tif 000006
【図６】
0005881146.tif 000007
【図７】
0005881146.tif 000008
【図８】
0005881146.tif 000009
【図９】
0005881146.tif 000010
【図１０】
0005881146.tif 000011
【図１１】
0005881146.tif 000012
【図１２】
0005881146.tif 000013